【手続補正書】
【提出日】平成21年11月25日(2009.11.25)
【手続補正１】
【補正対象書類名】特許請求の範囲
【補正対象項目名】全文
【補正方法】変更
【補正の内容】
【特許請求の範囲】
【請求項１】
絶縁基板と、
前記絶縁基板の上方で配列した第１及び第２画素電極と、
前記第１及び第２画素電極の上方に形成された対向電極と、
一部が前記第１画素電極と前記対向電極との間に介在し、他の一部が前記第２画素電極と前記対向電極との間に介在し、前記第１及び第２画素電極を含む領域に亘って広がった第１発光層と、
前記第１及び第２画素電極のうち前記第２画素電極に対応した領域にのみ設けられ、前記第２画素電極と前記対向電極との間で前記第１発光層と重なり合った第２発光層と
を具備した有機ＥＬ表示装置。
【請求項２】
前記第１及び第２画素電極は陽極であり、前記対向電極は陰極であり、前記第２発光層は前記第１発光層と前記第２画素電極との間に介在している請求項１に記載の有機ＥＬ表示装置。
【請求項３】
前記第１画素電極に対応した第１部分は青色に発光し、前記第２画素電極に対応した第２部分は赤色又は緑色に発光する請求項１又は２に記載の有機ＥＬ表示装置。
【請求項４】
前記第１画素電極と前記対向電極とそれらに挟まれた部分とは光共振器を構成し、前記第２画素電極と前記対向電極とそれらに挟まれた部分とは光共振器を構成している請求項１乃至３の何れか１項に記載の有機ＥＬ表示装置。
【請求項５】
絶縁基板と、
前記絶縁基板の上方で配列した第１乃至第３画素電極と、
前記第１乃至第３画素電極の上方に形成された対向電極と、
一部が前記第１画素電極と前記対向電極との間に介在し、他の一部が前記第２画素電極と前記対向電極との間に介在し、更に他の一部が前記第３画素電極と前記対向電極との間に介在し、前記第１乃至第３画素電極を含む領域に亘って広がった第１発光層と、
前記第１乃至第３画素電極のうち前記第２画素電極に対応した領域又は前記第２及び第３画素電極に対応した領域にのみ設けられ、少なくとも前記第２画素電極と前記対向電極との間で前記第１発光層と重なり合った第２発光層と、
前記第１乃至第３画素電極のうち前記第３画素電極に対応した領域にのみ設けられ、前記第３画素電極と前記対向電極との間で前記第１発光層と重なり合った第３発光層と
を具備した有機ＥＬ表示装置。
【請求項６】
前記第２発光層は、前記第１乃至第３画素電極のうち前記第２画素電極に対応した領域にのみ設けられている請求項５に記載の有機ＥＬ表示装置。
【請求項７】
前記第２発光層は、前記第１乃至第３画素電極のうち前記第２及び第３画素電極に対応した領域にのみ設けられている請求項５に記載の有機ＥＬ表示装置。
【請求項８】
前記絶縁基板の主面に垂直な方向から観察した場合に、前記第３画素電極に対応した発光部は直角四辺形であり、前記第１画素電極に対応した発光部及び前記第２画素電極に対応した発光部の少なくとも一部は前記直角四辺形の辺に沿って折れ曲がっている請求項７に記載の有機ＥＬ表示装置。
【請求項９】
前記絶縁基板の主面に垂直な方向から観察した場合に、前記第２画素電極に対応した発光部と前記第３画素電極に対応した発光部とは第１方向に配列し、前記第１画素電極に対応した発光部と前記第２画素電極に対応した前記発光部とは前記第１方向に垂直な第２方向に配列し、前記第１画素電極に対応した前記発光部と前記第３画素電極に対応した前記発光部とは前記第２方向に配列している請求項８に記載の有機ＥＬ表示装置。
【請求項１０】
前記絶縁基板の前記主面に垂直な方向から観察した場合に、前記第１画素電極に対応した前記発光部は、前記第２画素電極に対応した前記発光部及び前記第３画素電極に対応した前記発光部と比較して面積がより大きい請求項８又は９に記載の有機ＥＬ表示装置。
【請求項１１】
前記第１乃至第３画素電極は陽極であり、前記対向電極は陰極であり、前記第２発光層は前記第１発光層と前記第２画素電極との間に介在し、前記第３発光層は前記第１発光層と前記第３画素電極との間に介在している請求項５乃至１０の何れか１項に記載の有機ＥＬ表示装置。
【請求項１２】
前記第１画素電極に対応した第１部分は青色に発光し、前記第２画素電極に対応した第２部分は緑色に発光し、前記第３画素電極に対応した第３部分は赤色に発光する請求項５乃至１１の何れか１項に記載の有機ＥＬ表示装置。
【請求項１３】
前記第１画素電極と前記対向電極とそれらに挟まれた部分とは光共振器を構成し、前記第２画素電極と前記対向電極とそれらに挟まれた部分とは光共振器を構成し、前記第３画素電極と前記対向電極とそれらに挟まれた部分とは光共振器を構成している請求項５乃至１２の何れか１項に記載の有機ＥＬ表示装置。
【請求項１４】
正孔注入層、電子注入層、正孔輸送層、電子輸送層及び正孔ブロッキング層の少なくとも１つを更に具備した請求項１乃至１３の何れか１項に記載の有機ＥＬ表示装置。
【請求項１５】
絶縁基板と、
前記絶縁基板の上方で第１方向に配列した複数の第１画素電極からなる第１列と、
前記絶縁基板の上方で前記第１方向に配列した複数の第２画素電極からなり、前記第１画素列に対して前記第１方向と交差する第２方向に隣り合った第２列と、
前記絶縁基板の上方で前記第１方向に配列した複数の第３画素電極からなり、前記第２画素列に対して前記第２方向に隣り合った第３列と、
前記第１乃至第３列の上方に形成された対向電極と、
前記第１乃至第３列と前記対向電極との間に介在し、前記第１乃至第３列を含む領域に亘って広がった第１発光層と、
前記第１方向に延びた形状を有し、前記第１乃至第３列のうち前記第２列に対応した領域にのみ設けられ、前記第２列と前記対向電極との間で前記第１発光層と重なり合った第２発光層と、
前記第１方向に延びた形状を有し、前記第１乃至第３列のうち前記第３列に対応した領域にのみ設けられ、前記第３列と前記対向電極との間で前記第１発光層と重なり合った第３発光層と
を具備した有機ＥＬ表示装置。
【請求項１６】
絶縁基板と、
前記絶縁基板の上方で第１方向に配列した複数の第１画素電極からなる第１列と、
前記絶縁基板の上方で前記第１方向に配列した複数の第２画素電極からなり、前記第１画素列に対して前記第１方向と交差する第２方向に隣り合った第２列と、
前記絶縁基板の上方で前記第１方向に配列した複数の第３画素電極からなり、前記第２画素列に対して前記第２方向に隣り合った第３列と、
前記第１乃至第３列の上方に形成された対向電極と、
前記第１乃至第３列と前記対向電極との間に介在し、前記第１乃至第３列を含む領域に亘って広がった第１発光層と、
前記第１方向に延びた形状を有し、前記第１乃至第３列のうち前記第２及び第３列に対応した領域にのみ設けられ、前記第２列と前記対向電極との間及び前記第３列と前記対向電極との間で前記第１発光層と重なり合った第２発光層と、
前記第１方向に延びた形状を有し、前記第１乃至第３列のうち前記第３列に対応した領域にのみ設けられ、前記第３列と前記対向電極との間で前記第１発光層と重なり合った第３発光層と
を具備した有機ＥＬ表示装置。
【手続補正２】
【補正対象書類名】明細書
【補正対象項目名】０００７
【補正方法】変更
【補正の内容】
【０００７】
本発明の第１側面によると、絶縁基板と、前記絶縁基板の上方で配列した第１及び第２画素電極と、前記第１及び第２画素電極の上方に形成された対向電極と、一部が前記第１画素電極と前記対向電極との間に介在し、他の一部が前記第２画素電極と前記対向電極との間に介在し、前記第１及び第２画素電極を含む領域に亘って広がった第１発光層と、前記第１及び第２画素電極のうち前記第２画素電極に対応した領域にのみ設けられ、前記第２画素電極と前記対向電極との間で前記第１発光層と重なり合った第２発光層とを具備した有機ＥＬ表示装置が提供される。
【手続補正３】
【補正対象書類名】明細書
【補正対象項目名】０００８
【補正方法】変更
【補正の内容】
【０００８】
本発明の第２側面によると、絶縁基板と、前記絶縁基板の上方で配列した第１乃至第３画素電極と、前記第１乃至第３画素電極の上方に形成された対向電極と、一部が前記第１画素電極と前記対向電極との間に介在し、他の一部が前記第２画素電極と前記対向電極との間に介在し、更に他の一部が前記第３画素電極と前記対向電極との間に介在し、前記第１乃至第３画素電極を含む領域に亘って広がった第１発光層と、前記第１乃至第３画素電極のうち前記第２画素電極に対応した領域又は前記第２及び第３画素電極に対応した領域にのみ設けられ、少なくとも前記第２画素電極と前記対向電極との間で前記第１発光層と重なり合った第２発光層と、前記第１乃至第３画素電極のうち前記第３画素電極に対応した領域にのみ設けられ、前記第３画素電極と前記対向電極との間で前記第１発光層と重なり合った第３発光層とを具備した有機ＥＬ表示装置が提供される。
【手続補正４】
【補正対象書類名】明細書
【補正対象項目名】０００９
【補正方法】変更
【補正の内容】
【０００９】
本発明の第３側面によると、絶縁基板と、前記絶縁基板の上方で第１方向に配列した複数の第１画素電極からなる第１列と、前記絶縁基板の上方で前記第１方向に配列した複数の第２画素電極からなり、前記第１画素列に対して前記第１方向と交差する第２方向に隣り合った第２列と、前記絶縁基板の上方で前記第１方向に配列した複数の第３画素電極からなり、前記第２画素列に対して前記第２方向に隣り合った第３列と、前記第１乃至第３列の上方に形成された対向電極と、前記第１乃至第３列と前記対向電極との間に介在し、前記第１乃至第３列を含む領域に亘って広がった第１発光層と、前記第１方向に延びた形状を有し、前記第１乃至第３列のうち前記第２列に対応した領域にのみ設けられ、前記第２列と前記対向電極との間で前記第１発光層と重なり合った第２発光層と、前記第１方向に延びた形状を有し、前記第１乃至第３列のうち前記第３列に対応した領域にのみ設けられ、前記第３列と前記対向電極との間で前記第１発光層と重なり合った第３発光層とを具備した有機ＥＬ表示装置が提供される。
【手続補正５】
【補正対象書類名】明細書
【補正対象項目名】００１０
【補正方法】変更
【補正の内容】
【００１０】
本発明の第４側面によると、絶縁基板と、前記絶縁基板の上方で第１方向に配列した複数の第１画素電極からなる第１列と、前記絶縁基板の上方で前記第１方向に配列した複数の第２画素電極からなり、前記第１画素列に対して前記第１方向と交差する第２方向に隣り合った第２列と、前記絶縁基板の上方で前記第１方向に配列した複数の第３画素電極からなり、前記第２画素列に対して前記第２方向に隣り合った第３列と、前記第１乃至第３列の上方に形成された対向電極と、前記第１乃至第３列と前記対向電極との間に介在し、前記第１乃至第３列を含む領域に亘って広がった第１発光層と、前記第１方向に延びた形状を有し、前記第１乃至第３列のうち前記第２及び第３列に対応した領域にのみ設けられ、前記第２列と前記対向電極との間及び前記第３列と前記対向電極との間で前記第１発光層と重なり合った第２発光層と、前記第１方向に延びた形状を有し、前記第１乃至第３列のうち前記第３列に対応した領域にのみ設けられ、前記第３列と前記対向電極との間で前記第１発光層と重なり合った第３発光層とを具備した有機ＥＬ表示装置が提供される。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】